(57)【要約】      （修正有）【課題】異なる大きさの物品を同一の緩衝部材及び同一の収納容器により対応できるようにし、その収納手段も、板体を単に折り曲げるだけの簡単な操作により行うことができるようにした緩衝部材を提供する。【解決手段】折曲板体と該折曲板体上の可撓性フィルム３間とで物品Ｗ２を保持する緩衝部材において、物品を保持する折曲板体の中央片部１０の左・右に所定間隔を有して複数の折り曲げ部を設けることにより複数の側片部及び折り曲げ片部を各々形成する。また、上記左・右の最外部に位置する折り曲げ片部に該可撓性フィルム３の両端部４ａ、４ｂを固定し、該中央片部、該側片部及び該折り曲げ片部上に該可撓性フィルムを跨るようにして浮かせて配設し、該左・右の複数の側片部の折り曲げにより該両端部の固定間寸法の変動を物品保持のための可撓性フィルムの引張力調整手段とする。【選択図】図４
0003178252.tif 000002
【実用新案登録請求の範囲】
【請求項１】
折曲板体と該折曲板体上の可撓性フィルム間とで物品を保持する緩衝部材において、物品を保持する折曲板体の中央片部の左・右に所定間隔を有して複数の折り曲げ部を設けることにより複数の側片部及び折り曲げ片部を各々形成し、上記左・右の最外部に位置する折り曲げ片部に該可撓性フィルムの両端部を固定し、該中央片部、該側片部及び該折り曲げ片部上に該可撓性フィルムを跨るようにして浮かせて配設し、該左・右の複数の側片部の折り曲げにより該両端部の固定間寸法の変動を物品保持のための可撓性フィルムの引張力調整手段としてなることを特徴とする折曲板体と可撓性フィルムとを組み合わせた緩衝部材。
【請求項２】
折曲板体は、段ボール紙等の弾力性のある材料としたことを特徴とする請求項１記載の折曲板体と可撓性フィルムとを組み合わせた緩衝部材。
【請求項３】
中央片部の上・下に各々横折り曲げ部を設け、該中央片部に連続して上・下側側片部を形成したことを特徴とする請求項１又は２記載の折曲板体と可撓性フィルムとを組み合わせた緩衝部材。
【請求項４】
左・右の側片部は、中央片部より左・右の折り曲げ部、左・右側第１側片部、左・右側谷折り曲げ部、左・右側第２側片部とで形成し、その最外部の左・右側山折り曲げ部に連続して左・右の第１、第２折り曲げ片部を形成してなることを特徴とする請求項１乃至３のいずれか記載の折曲板体と可撓性フィルムとを組み合わせた緩衝部材。
【考案の詳細な説明】
【技術分野】
【０００１】
本考案は、物品収納体となる収納容器に様々な大きさの衝撃に弱い物品を収納する際に使用する緩衝用物品保持手段となる折曲板体と可撓性フィルムとを組み合わせた緩衝部材に関する。
【背景技術】
【０００２】
壊れ易い物品や精密機器類等の衝撃に弱い物品を収納容器により運搬或いは保管する際 、外部からの衝撃が当該物品に直接伝わらないようにするために各種の衝撃緩衝手段が考えられているが、その内の最も有効な手段として可撓性フィルムを利用するものがある。
【０００３】
上記可撓性フィルムを利用する手段は、図５（ａ）に示すように、段ボール紙や他の材料からなる保持体としての枠体Ａと該枠体Ａ間に保持された上下の該可撓性フィルムＢとで形成された緩衝部材間に物品Ｃを挟持し、或いは図５（ｂ）に示すように、可撓性フィルムＤを弾力性のある保持体としての板体Ｅ上にその端部Ｆのみを固定し、該可撓性フィルムＤと板体Ｅ間に物品Ｃを該板体Ｅ側に押し付け支持することにより、外部からの衝撃を該可撓性フィルムＤ或いは弾力性を有する保持体としての板体Ｅにより吸収し、大きな衝撃が該物品Ｃに直接伝わることを防止している技術がある。
【０００４】
上記可撓性フィルムＢ、Ｄは、収納容器の一部或いは別体の仕切部材等の段ボール紙や他の材料からなる枠体Ａ、Ｆや保持体となる板体Ｅに接着剤等によりその端部が固定されることになるが、該可撓性フィルムＢ、Ｄには物品Ｃを保持するために大きな引張力がかかり、保持するための対象物となる物品Ｃの大きさ、特に高さ方向等において限度があり、予め収納する物品Ｃに合わせてそのつど該可撓性フィルムの引張力の限界を設定しておく必要があった。
【０００５】
また、図５（ｃ）に示すように、板体Ｅの左・右に折り曲げ片Ｇを突出させて設け、該折り曲げ片Ｇを物品Ｃ側に折り曲げることにより他の物品収納体となる収納容器Ｈへの収納案内手段及び取り出しのための取り出し手段とするタイプの緩衝部材があるが、これも上記同様、可撓性フィルムの引張力の限界内で大きさの限られた物品Ｃが収納できるものであった。
【先行技術文献】
【特許文献】
【０００６】
【特許文献１】特開２００７−２９０７４１号公報
【特許文献２】特開平１１−２０８７２６号公報
【考案の概要】
【考案が解決しようとする課題】
【０００７】
上記事情により、異なる大きさの物品Ｃを収納する場合、その物品Ｃの大きさに合った引張力が得られる様々な大きさの可撓性フィルムＢ、Ｄ、Ｈを予め用意し、それらにより対応せざるを得ないため、物品Ｃの大きさに合わせて多くの種類の緩衝部材を準備しなくてはならなかった。また、緩衝部材の大きさが様々なものとなるため、それを収める収納容器Ｈも様々な大きさのものを準備しなくてはならなかった。
【０００８】
本考案は、上記欠点を解決したもので、異なる大きさの物品を同一の緩衝部材及び同一の収納容器により対応できるようにし、その収納手段も従来と同様、板体を単に折り曲げるだけの簡単な操作により行うことができるようにした緩衝部材を提供するものである。
【課題を解決するための手段】
【０００９】
本考案は、折曲板体と該折曲板体上の可撓性フィルム間とで物品を保持する緩衝部材において、物品を保持する折曲板体の中央片部の左・右に所定間隔を有して複数の折り曲げ部を設けることにより複数の側片部及び折り曲げ片部を各々形成し、上記左・右の最外部に位置する折り曲げ片部に該可撓性フィルムの両端部を固定し、該中央片部、該側片部及び該折り曲げ片部上に該可撓性フィルムを跨るようにして浮かせて配設し、該左・右の複数の側片部の折り曲げにより該両端部の固定間寸法の変動を物品保持のための可撓性フィルムの引張力調整手段としてなる折曲板体と可撓性フィルムとを組み合わせた緩衝部材を特徴とする。
【００１０】
また、上記折曲板体は、段ボール紙等の弾力性のある材料とした折曲板体と可撓性フィルムとを組み合わせた緩衝部材を特徴とする。
【００１１】
更に、上記中央片部の上・下に各々横折り曲げ部を設け、該中央片部に連続して上・下側側片部を形成した折曲板体と可撓性フィルムとを組み合わせた緩衝部材を特徴とする。
【００１２】
また、上記左・右の側片部は、中央片部より左・右の折り曲げ部、左・右側第１側片部、左・右側谷折り曲げ部、左・右側第２側片部とで形成し、その最外部の左・右側山折り曲げ部に連続して左・右の第１、第２折り曲げ片部を形成してなる折曲板体と可撓性フィルムとを組み合わせた緩衝部材を特徴とする。
【考案の効果】
【００１３】
本考案は、同一の大きさの折曲板体と可撓性フィルムとを組み合わせた緩衝部材により、高さや幅の異なる様々な大きさの物品に対し強固な引張力を与えて緩衝保持する緩衝部材を得ることが可能となった。
【００１４】
また、上記引張力は、様々な大きさの物品を支持する同一の大きさの折曲板体と可撓性フィルムとによって可能とすることができるので、該緩衝部材を別体の同一の大きさの収納容器に収めることが可能となった。これにより大きさの異なる様々な物品に対してそれらに対応したそれぞれの緩衝部材や収納容器を用意することなく、同一の大きさで対応のできる汎用性の高い収納手段を得ることが可能となった。
【００１５】
更に、物品を取り出すのが簡単で、且つ使用後において側片部や折り曲げ片部等を元に戻すことにより平板状となり、当初と同じ状態として再使用することができ、また、使用前・後においては平板状なので、ストックする上でかさばらず、使用時における運搬や収納作業も場所をとらずに合理的に行うことが可能となった。
【図面の簡単な説明】
【００１６】
【図１】本考案の折曲板体と可撓性フィルムとを組み合わせた緩衝部材の板体の展開平面図。
【図２】（ａ）本考案の折曲板体と可撓性フィルムとを組み合わせた緩衝部材の可撓性フィルムの貼着位置を示す展開平面図、（ｂ）同側面図。
【図３】（ａ）本考案の折曲板体と可撓性フィルムとを組み合わせた緩衝部材へ物品を収納した状態を示す平面図、（ｂ）本考案の折曲板体と可撓性フィルムとを組み合わせた緩衝部材の左右側片部、左右折り曲げ片部等を中央片部の裏面側へ折り曲げた状態を示す平面図、（ｃ）本考案の折曲板体と可撓性フィルムとを組み合わせた緩衝部材に物品を固定して収納容器に収めた状態を示す側断面図。
【図４】（ａ）本考案の折曲板体と可撓性フィルムとを組み合わせた緩衝部材の使用状態の実施例で、各々の左右側片部を重ねた状態を示す平面図、（ｂ）同断面図、（ｃ）左右折り曲げ片部を左右側片部側へ折り曲げて可撓性フィルムに引張力を付与した状態を示す断面図、（ｄ）本考案の折曲板体と可撓性フィルムとを組み合わせた緩衝部材に物品を固定して収納容器に収めた状態を示す実施例の側断面図。
【図５】（ａ）折曲と可撓性フィルムとを組み合わせた従来の緩衝部材の側断面図、（ｂ）同従来の他の実施例の緩衝部材の側断面図、（ｃ）同従来の他の実施例の緩衝部材を収納容器に収めた状態を示す側断面図。
【考案を実施するための形態】
【００１７】
以下、図面を参考に本考案の実施例を説明する。
【実施例１】
【００１８】
図１は、本考案の折曲板体と可撓性フィルムとを組み合わせた緩衝部材１を構成する保持体としての板体２の平面図を示している。該板体２は、段ボール紙や他の材料からなり、収納の対象となる物品Ｗ１に揺れが生じても破損しないような弾力が得られるものを採用する。
【００１９】
該板体２の表面上には、図２に示すように、可撓性フィルム３が該板体２の中央部に敷設され、その両端部４ａ、４ｂのみが該板体２に固定され、その間を非固定部分としている。該板体２と可撓性フィルム３とにより緩衝部材１を構成し、該板体２と可撓性フィルム３との間に適宜大きさの物品Ｗ１を収納することになる。
【００２０】
該緩衝部材１は、該板体２と可撓性フィルム３との間に物品Ｗ１を収納し、該板体２の左右に設けられた折れ曲がり部を裏面側へ折曲することにより該可撓性フィルム３に引張力を付与し、その折り曲げた状態で、図３（ｃ）に示すように、別体の収納容器５に収納することになる。
【００２１】
本実施例１に示す板体２は、平板上の物品Ｗ１を保持する箇所の上下の横方向及び左右の縦方向に折り曲げ部を設けている。図１に示すように、物品Ｗ１を保持する箇所の板体２の上方部に上横折り曲げ部６、下方部に下横折り曲げ部７を各々設け、他方、左右の縦方向には該板体２を裏面側に折り曲げたときに山が形成されるように左側折り曲げ部８及び右側折り曲げ部９を各々設け、上記上下の横折り曲げ部６、７間及び上記左右側折り曲げ部８、９間の板体２の表面側を物品Ｗ１の載置スペースとなる中央片部１０としている。
【００２２】
該左側折り曲げ部８の外方には該板体２の表面側に谷が形成されるように左側谷折り曲げ部８ａ及び該板体２の表面側に山が形成されるように左側山折り曲げ部８ｂが各々形成され、該左側折り曲げ部８を表面側に山が形成されるように裏面側方向に折り曲げ、及び左側山折り曲げ部８ｂも同様に裏面側方向に折り曲げ、両者とも表面側に山が形成されるように折り曲げることができ、その両者間にある左側谷折り曲げ部８ａは表面側に谷が形成されるように折り曲げ可能に形成されている。
【００２３】
また、該右側折り曲げ部９も上記同様、その外方に右側谷折り曲げ部９ａ及び右側山折り曲げ部９ｂが各々形成され、該右側折り曲げ部９及び右側山折り曲げ部９ｂを表面側に山が形成されるように折り曲げ、右側谷折り曲げ部９ａを表面側が谷となるように折り曲げ可能に形成されている。
【００２４】
上記上横折り曲げ部６側となる物品Ｗ１の収納スペースの中央片部１０に接して上側側片部１１、下横折り曲げ部７側となる中央片部１０に接して下側側片部１２が各々形成されている。
【００２５】
また、左側折り曲げ部８側となる中央片部１０に接して可撓性フィルムの引張力調整用の左側第１側片部１３が形成され、該左側谷折り曲げ部８ａを折り曲げ部として該左側第１側片部１３に接して左側第２側片部１４が各々形成されている。
【００２６】
更に、右側折り曲げ部９側となる中央片部１０に接して可撓性フィルム３の引張力調整用の右側第１側片部１５が形成され、該右側谷折り曲げ部９ａを折り曲げ部として該右側第１側片部１５に接して右側第２側片部１６が各々形成されている。
【００２７】
また、左側山折り曲げ部８ｂに接してその外方には第１折り曲げ片部１７、右側山折り曲げ部９ｂに接してその外方には第２折り曲げ片部１８が各々形成されている。
【００２８】
上側側片部１１の左右の縦方向の左側には該左側折り曲げ部８を延長して左上側折り曲げ部８′が形成され、右側には該右側折り曲げ部９を延長して右上側折り曲げ部９′が各々形成されている。
【００２９】
該左上側折り曲げ部８´の外方には該左側谷折り曲げ部８ａを延長して左上側谷折り曲げ部８′ａが形成され、更に、該左側山折り曲げ部８ｂを延長して左上側山折り曲げ部８′ｂが各々形成されている。
【００３０】
また、該右上側折り曲げ部９′の外方には該右側谷折り曲げ部９ａを延長して右上側谷折り曲げ部９′ａが形成され、更に、該右側山折り曲げ部９ｂを延長して右上側山折り曲げ部９′ｂが各々形成されている。
【００３１】
更に、下側側片部１２の左右の縦方向の左側には該左側折り曲げ部８を延長して左下側折り曲げ部８″が形成され、右側には該右側折り曲げ部９を延長して右下側折り曲げ部９″が各々形成されている。
【００３２】
該左下側折り曲げ部８″の外方には該左側谷折り曲げ部８ａを延長して左下側谷折り曲げ部８″ａが形成され、更に、該左側山折り曲げ部８ｂを延長して左下側山折り曲げ部８″ｂが各々形成されている。
【００３３】
また、該右下側折り曲げ部９″の外方には該右側谷折り曲げ部９ａを延長して右下側谷折り曲げ部９″ａが形成され、更に、所定間隔を有して該右側山折り曲げ部９ｂを延長して右下側山折り曲げ部９″ｂが各々形成されている。
【００３４】
該左上側折り曲げ部８´側には上側側片部１１に接して左上側第１側片部１９が形成され、該左上側谷折り曲げ部８′ａにより該左上側第１側片部１９に接して左上側第２側片部２０が各々形成されている。
【００３５】
更に、該右上側折り曲げ部９´側には上側側片部１１に接して右上側第１側片部２１が形成され、該右上側谷折り曲げ部９′ａにより該右上側第１側片部２１に接して右上側第２側片部２２が各々形成されている。
【００３６】
また、該左上側山折り曲げ部８′ｂに接してその外方には第３折り曲げ片部２３が形成され、該右上側山折り曲げ部９′ｂに接してその外方には第４折り曲げ片部２４が各々形成されている。
【００３７】
他方、該左下側折り曲げ部８″側には該下側側片部１２に接して左下側第１側片部２５が形成され、該左下側谷折り曲げ部８″ａにより該左下側第１側片部２５に接して左下側第２側片部２６が各々形成されている。
【００３８】
更に、該右下側折り曲げ部９″側には該下側側片部１２に接して右下側第１側片部２７が形成され、該右下側谷折り曲げ部９″ａにより該右下側第１側片部２７に接して右下側第２側片部２８が各々形成されている。
【００３９】
また、該左下側山折り曲げ部８″ｂに接してその外方には第５折り曲げ片部２９が形成され、該右下側山折り曲げ部９″ｂに接してその外方には第６折り曲げ片部３０が各々形成されている。
【００４０】
また、該上・下の横折り曲げ部６、７と該左・右側折り曲げ部８、９及び該左・右側山折り曲げ部との直交する交点箇所には板体２を折り曲げ易くするために打ち抜き穴３１を設けている。
【００４１】
図２（ａ）、（ｂ）に示すように、該中央片部１０、左側第１側片部１３、左側第２側片部１４、第１折り曲げ片部１７、右側第１側片部１５、右側第２側片部１６及び第２折り曲げ片部１８上には可撓性フィルム３が上記各片部を被覆するように配設し、その両端部４ａ、４ｂを各々第１折り曲げ片部１７及び第２折り曲げ片部１８に固定している。
【００４２】
物品の異なる大きさや高さに対応できるように該可撓性フィルム３は各片部上に両端部４ａ、４ｂ以外は固定されることなく、且つ緩んだ状態での非固定状態で配設されることになる。
【００４３】
図３（ａ）、（ｂ）は、上記した折曲板体と可撓性フィルムとを組み合わせた緩衝部材１により比較的小さな物品を保持する場合の実施例を示している。図３（ａ）は、緩衝部材１に物品Ｗ１を収納した状態を示している。中央片部１０、左側第１側片部１３、左側第２側片部１４、右側第１側片部１５、右側第２側片部１６、第１折り曲げ片部１７及び第２折り曲げ片部１８上に可撓性フィルム３の両端部４ａ、４ｂが第１折り曲げ片部１７及び第２折り曲げ片部１８に固定され、該両端部４ａ、４ｂから中央片部１０の中心位置までの寸法Ｈ１間で緩んだ状態で可撓性フィルム３が配設されているので、物品Ｗ１を中央片部１０上と該可撓性フィルム３間に容易に挿入することができる。
【００４４】
物品Ｗ１の挿入後、図３（ｂ）に示すように、左右側折り曲げ部８、９を板体２の裏面側に向けて折り曲げて重ねることにより可撓性フィルム３に引張力が付与され、該物品Ｗ１を中央片部１０側へ強く押さえ込むことが可能となる。
【００４５】
この状態で、上横折り曲げ部６及び下横折り曲げ部７を板体２の表面側方向へ各々略９０度折り曲げることにより別体の収納容器５への入出が容易となるようにすることができる。図３（ｃ）に示すように、別体の収納容器５に、折り曲げて重ねた左側第１側片部１３、左側第２側片部１４及び第１折り曲げ片部１７並びに右側第１側片部１５、右側第２側片部１６及び第２折り曲げ片部１８の各々が該収納容器５の内底へ位置するように板体２の表面側へ折り曲げた上・下側側片部１１、１２、第３、第４、第５、第６折り曲げ片部２３、２４、２９、３０により誘導して緩衝部材１を入れ込むことにより該緩衝部材１が該収納容器５内でがたつくことなく収納することが可能となる。
【００４６】
なお、収納容器５からの緩衝部材１の取り出しを容易とするために上側側片部１１及び下側側片部１２の各々に貫通孔３２を設けている。該貫通孔３２に指を引っ掛けて持ち上げることにより物品Ｗ１が収められた緩衝部材１を収納容器５から取り出すことができる。
【実施例２】
【００４７】
図４（ａ）、（ｂ）、（ｃ）は、同一の折曲板体と可撓性フィルムとを組み合わせた緩衝部材１に高さの高い及び／又は幅のある大きな物品Ｗ２を保持するときの対応を示すものである。左右側谷折り曲げ部８ａ、９ａを谷折りし、左側第１側片部１３と左側第２側片部１４の表面側相互が重なるようにし、同様に、右側第１側片部１５と右側第２側片部１６とが重なるように折り曲げる。
【００４８】
更に、左上側第１側片部１９及び左上側第２側片部２０、右上側第１側片部２１及び右上側第２側片部２２の表面側相互、左下側第１側片部２５及び左下側第２側片部２６、右下側第１側片部２７及び右下側第２側片部２８が各々接する或いは近接するように折り曲げることにより図４（ａ）に示す状態とすることができる。
【００４９】
上記状態では、図４（ａ）に示すように、板体２の左・左上・左下側第１側片部１３、１９、２５と左・左上・左下側第２側片部１４、２０、２６の表面側相互及び右・右上・右下側第１側片部１５、２１、２７と右・右上・右下側第２側片部１６、２２、２８とが重なるため、該可撓性フィルム３が固定されている両端部４ａ、４ｂより該板体２の中心位置までの寸法Ｈ２は図２（ａ）に示す寸法Ｈ１より、上記重なり分だけ短くなり、可撓性フィルム３には大きな緩みが生じることになる。従って、図４（ｂ）に示すように、高さのある大きな物品Ｗ２を中央片部１０と可撓性フィルム３との間に入れ込むことが可能となる。
【００５０】
物品Ｗ２を収納した後、左・左上・左下側折り曲げ部８、８′、８″及び右・右上・右下側折り曲げ部９、９′、９″を板体２の裏面側へ各々折り曲げ、第１、３、５折り曲げ片部１７、２３、２９及び第２、４、６折り曲げ片部１８、２４、３０を、図４（ｃ）に示すように、中央片部１０の裏面側へ重なるように折り曲げる。
【００５１】
上記折り曲げにより、図４（ｂ）に示すように、可撓性フィルム３は、その中心部の位置から左・右の両端部４ａ、４ｂの位置までの寸法Ｈ３が、図４（ｃ）に示すように引き伸ばされて寸法Ｈ４へと変化し、それにより該可撓性フィルム３に大きな引張力が付与されることになる。これにより物品Ｗ２は該中央片部１０と可撓性フィルム３とにより強固に保持されることになる。
【００５２】
上記状態で上・下横折り曲げ部６、７の各々を該中央片部１０の表面側方向へ略９０度折り曲げることにより左側第１、２側片部１３、１４及び右側第１、２側片部１５、１６を該第１折り曲げ片部１７及び第２折り曲げ片部１８とにより下方側より該中央片部１０側へ強く押し付け保持することが可能となる。
【００５３】
その後、図４（ｄ）に示すように、別体の収納容器５に、折り曲げた上下側側片部１１、１２、左上側第１、２側片部１９、２０、右上側第１、２側片部２１、２２、第３、４折り曲げ片部２３、２４、左下側第１、２折り曲げ部２５、２６、右下側第１、２折り曲げ部２７、２８及び第５、６折り曲げ片部２９、３０の各々を該収納容器５の内壁に沿うようにして誘導して緩衝部材１を入れ込むことにより該緩衝部材１が該収納容器５内でがたつくことなく収納することが可能となる。該緩衝部材１の取り出しは、上記実施例１と同様、貫通孔３２により容易に行うことができる。
【００５４】
上記実施例１、２で明らかなように、大きさの異なる物品Ｗ１、Ｗ２であっても、同一の大きさの緩衝部材１により収納保持対応することが可能となり、且つ該物品Ｗ１、Ｗ２が保持される中央片部１０の大きさを同一とすることができるので、該緩衝部材１を収納する別体の収納容器５を同一の大きさとすることが可能となり、同一部材により異なった大きさの様々な物品を強固に収納保持対応することが可能となった。
【００５５】
上記実施例１、２では、左右の側片部を各々２片とした実施例を記載したが、必要に応じてそれより多くの片或いは蛇腹状に形成してもよい。
【符号の説明】
【００５６】
１                緩衝部材
２                板体
３                可撓性フィルム
４ａ、４ｂ        両端部
５                収納容器
６                上横折り曲げ部
７                下横折り曲げ部
８                左側折り曲げ部
８ａ              左側谷折り曲げ部
８ｂ              左側山折り曲げ部
８′              左上側折り曲げ部
８′ａ            左上側谷折り曲げ部
８′ｂ            左上側山折り曲げ部
８″              左下側折り曲げ部
８″ａ            左下側谷折り曲げ部
８″ｂ            左下側山折り曲げ部
９                右側折り曲げ部
９ａ              右側谷折り曲げ部
９ｂ              右側山折り曲げ部
９′              右上側折り曲げ部
９′ａ            右上側谷折り曲げ部
９′ｂ            右上側山折り曲げ部
９″              右下側折り曲げ部
９″ａ            右下側谷折り曲げ部
９″ｂ            右下側山折り曲げ部
１０              中央片部
１１              上側側片部
１２              下側側片部
１３              左側第１側片部
１４              左側第２側片部
１５              右側第１側片部
１６              右側第２側片部
１７              第１折り曲げ片部
１８              第２折り曲げ片部
１９              左上側第１側片部
２０              左上側第２側片部
２１              右上側第１側片部
２２              右上側第２側片部
２３              第３折り曲げ片部
２４              第４折り曲げ片部
２５              左下側第１側片部
２６              左下側第２側片部
２７              右下側第１側片部
２８              右下側第２側片部
２９              第５折り曲げ片部
３０              第６折り曲げ片部
３１              打ち抜き穴
３２              貫通孔
【図１】
0003178252.tif 000003
【図２】
0003178252.tif 000004
【図３】
0003178252.tif 000005
【図４】
0003178252.tif 000006
【図５】
0003178252.tif 000007